(57)【要約】      （修正有）【課題】遮蔽空間内で安全に使用することができる炉を提供する。【解決手段】炉体１と、吸気通路２と、排気通路３とを含む炉であって、炉体１は、遮蔽空間内に使用される時に、吸気通路２の吸気端が遮蔽空間の外部に連通され、連結端が炉体１の吸気口に連通され、遮蔽空間の外部から炉体１内に空気を導入可能であり、排気通路３の連結端が炉体１の排気口に連通され、排気端が遮蔽空間の外部に連通され、炉体１内の排気ガスを遮蔽空間から排出可能である。吸気通路２と排気通路３とを結びつけることにより、炉がテントなどの遮蔽空間内に使用される時に、遮蔽空間内の酸素を消費せずに、外部から空気を導入して燃焼後に生じた煙などを外部に排出できるとともに、煙などが遮蔽空間内に漏洩する問題を回避する。【選択図】図１
0003222444.tif 000002
【実用新案登録請求の範囲】
【請求項１】
炉体（１）と、吸気通路（２）と、排気通路（３）とを含み、
前記炉体（１）は、遮蔽空間内に使用される時に、前記吸気通路（２）の吸気端が遮蔽空間の外部に連通され、連結端が前記炉体（１）の吸気口に連通され、遮蔽空間の外部から前記炉体（１）内に空気を導入可能であり、前記排気通路（３）の連結端が前記炉体（１）の排気口に連通され、排気端が遮蔽空間の外部に連通され、前記炉体（１）内の排気ガスを前記遮蔽空間から排出可能である、ことを特徴とする炉。
【請求項２】
前記炉体（１）内に１つ又は複数のガス補充領域が設置され、前記ガス補充領域は、前記吸気通路（２）の連結端と連通し、
前記炉体（１）が使用される時に、前記吸気口から前記炉体（１）に吸入された空気は、前記ガス補充領域を通過した後、前記排気口から排出される、ことを特徴とする請求項１に記載の炉。
【請求項３】
前記ガス補充領域は２つ設置され、それぞれ第１のガス補充領域及び第２のガス補充領域であり、前記吸気口から前記炉体（１）に吸入された空気は、前記第１のガス補充領域及び前記第２のガス補充領域を順に通過した後、前記排気口から排出される、ことを特徴とする請求項２に記載の炉。
【請求項４】
炉扉（１８）は、前記炉体（１）の前側に設置され、前記吸気口は、前記炉体（１）の後側に設置され、前記炉体（１）内には、その内部を上部分・下部分という２つの部分に分割するガスガイド板（１１）が設置され、前記第１のガス補充領域は、前記ガスガイド板（１１）の下部の前側に位置し、前記第２のガス補充領域は、前記ガスガイド板（１１）の上部の後側に位置する、ことを特徴とする請求項３に記載の炉。
【請求項５】
前記第１のガス補充領域は、第１のガス補充通路（４）を介して前記吸気通路（２）の連結端と連通し、
前記第１のガス補充通路（４）は、互いに連通した灰分ボックス（４１）と第１のガス補充管（４２）とを含み、前記灰分ボックス（４１）は、前記炉体（１）の底部に設置され、前記炉体（１）の底部の開口によって前記第１のガス補充領域に連通され、前記第１のガス補充管（４２）の一端は、前記吸気通路（２）の連結端に連通され、他端は、前記灰分ボックス（４１）の一側に連通され、前記灰分ボックス（４１）の底部に灰分トレー（４１１）が設置され、前記灰分トレー（４１１）は、前記灰分ボックス（４１）の底部の開口を開閉可能である、ことを特徴とする請求項３に記載の炉。
【請求項６】
前記第２のガス補充領域は、第２のガス補充通路（５）を介して前記吸気通路（２）の連結端と連通し、
前記第２のガス補充通路（５）は、複数の第２のガス補充管（５１）を含み、前記第２のガス補充管（５１）の一端は、前記吸気通路（２）の連結端に連通され、他端は、前記炉体（１）内に延出し、前記第２のガス補充管（５１）の前記炉体（１）内に延出した部分の側壁に通気孔（５１１）が開設されている、ことを特徴とする請求項３に記載の炉。
【請求項７】
前記炉体（１）に対して吸気調節装置（１２）が設置され、前記吸気調節装置（１２）は、前記吸気口の開度を調節可能である、ことを特徴とする請求項３に記載の炉。
【請求項８】
前記吸気調節装置（１２）は、
回転軸によって前記吸気通路（２）の連結端の内部に回転設置されたバッフル（１２１）と、
前記炉体（１）の前側から前記炉体（１）の後側に延在し、前記炉体（１）に摺動連結され、一端に操作ハンドルが連結され、他端が伝動アセンブリによって前記回転軸に連結された調節レバー（１２２）であって、前記調節レバー（１２２）が摺動する時に、前記バッフル（１２１）を回転させるように駆動することで、前記吸気口の開度を調節可能である調節レバー（１２２）とを含む、ことを特徴とする請求項７に記載の炉。
【請求項９】
前記第１のガス補充領域は、第１のガス補充通路（４）を介して前記吸気通路（２）の連結端と連通し、
前記炉体（１）内にガス補充調節装置（１３）が設置され、前記ガス補充調節装置（１３）は、前記第１のガス補充通路（４）と前記炉体（１）との間の連通口の開度を調節可能である、ことを特徴とする請求項３に記載の炉。
【請求項１０】
２つのハウジング（６）を更に含み、２つの前記ハウジング（６）は、それぞれ前記炉体（１）に回転連結され、且つ前記炉体（１）の頂部に対称に設置され、
２つの前記ハウジング（６）が互いに係合された時に、前記炉体（１）の頂部において、閉じたベーク空間を取り囲むように形成可能である、ことを特徴とする請求項１〜９のいずれか一項に記載の炉。
【考案の詳細な説明】
【技術分野】
【０００１】
本考案は、燃焼加熱炉の技術分野に関し、特に炉に関する。
【背景技術】
【０００２】
広く使用されている調理器具として、炉は、キャンプや冒険などの野外活動でますますユーザに多く使用されている。キャンプや冒険などの野外活動では、ユーザは、テントなどの遮蔽空間に滞在する必要があるため、炉に対して携帯性に加えて安全性が求められる。従来の炉は、野外でテントなどの遮蔽空間に使用される時に、テント内の酸素を消費する必要があり、且つ燃料の燃焼過程で発生する有毒ガスがテント内に漏れやすいため、ユーザに大きな危険をもたらす。
【考案の概要】
【０００３】
本考案は、ユーザが遮蔽空間内に安全に使用可能な炉を提供することを目的とする。
【０００４】
この目的を達成するために、本考案は、以下の技術案を講じた。
炉は、炉体と、吸気通路と、排気通路とを含み、
前記炉体は、遮蔽空間内に使用される時に、前記吸気通路の吸気端が遮蔽空間の外部に連通され、連結端が前記炉体の吸気口に連通され、遮蔽空間の外部から前記炉体内に空気を導入可能であり、前記排気通路の連結端が前記炉体の排気口に連通され、排気端が遮蔽空間の外部に連通され、前記炉体内の排気ガスを前記遮蔽空間から排出可能である。
【０００５】
好ましくは、前記炉体内に１つ又は複数のガス補充領域が設置され、前記ガス補充領域は、前記吸気通路の連結端と連通し、
前記炉体が使用される時に、前記吸気口から前記炉体に吸入された空気は、前記ガス補充領域を通過した後、前記排気口から排出される。
【０００６】
好ましくは、前記ガス補充領域は２つ設置され、それぞれ第１のガス補充領域及び第２のガス補充領域であり、前記吸気口から前記炉体に吸入された空気は、前記第１のガス補充領域及び前記第２のガス補充領域を順に通過した後、前記排気口から排出される。
【０００７】
好ましくは、炉扉は前記炉体の前側に設置され、前記吸気口は、前記炉体の後側に設置され、前記炉体内には、その内部を上部分・下部分という２つの部分に分割するガスガイド板が設置され、前記第１のガス補充領域は、前記ガスガイド板の下部の前側に位置し、前記第２のガス補充領域は、前記ガスガイド板の上部の後側に位置する。
【０００８】
好ましくは、前記第１のガス補充領域は第１のガス補充通路を介して前記吸気通路の連結端と連通し、
前記第１のガス補充通路は、互いに連通した灰分ボックスと第１のガス補充管とを含み、前記灰分ボックスは、前記炉体の底部に設置され、前記炉体の底部の開口によって前記第１のガス補充領域に連通され、前記第１のガス補充管の一端は、前記吸気通路の連結端に連通され、他端は、前記灰分ボックスの一側に連通され、前記灰分ボックスの底部に灰分トレーが設置され、前記灰分トレーは、前記灰分ボックス底部の開口を開閉可能である。
【０００９】
好ましくは、前記第２のガス補充領域は第２のガス補充通路を介して前記吸気通路の連結端と連通し、
前記第２のガス補充通路は、複数の第２のガス補充管を含み、前記第２のガス補充管の一端は、前記吸気通路の連結端に連通され、他端は、前記炉体内に延出し、前記第２のガス補充管は、前記炉体内に延出した部分の側壁に通気孔が開設されている。
【００１０】
好ましくは、前記炉体上に吸気調節装置が設置され、前記吸気調節装置は、前記吸気口の開度を調節可能である。
【００１１】
好ましくは、前記吸気調節装置は、
回転軸によって前記吸気通路の連結端の内部に回転設置されたバッフルと、
前記炉体の前側から前記炉体の後側に延在し、前記炉体に摺動連結され、一端に操作ハンドルが連結され、他端が伝動アセンブリによって前記回転軸に連結された調節レバーであって、前記調節レバーが摺動する時に、前記バッフルを回転させるように駆動することで、前記吸気口の開度を調節可能である調節レバーとを含む。
【００１２】
好ましくは、前記第１のガス補充領域は第１のガス補充通路を介して前記吸気通路の連結端と連通し、
前記炉体内にガス補充調節装置が設置され、前記ガス補充調節装置は、前記第１のガス補充通路と前記炉体との間の連通口の開度を調節可能である。
【００１３】
好ましくは、２つのハウジングを更に含み、２つの前記ハウジングは、それぞれ前記炉体に回転連結され、且つ前記炉体の頂部に対称に設置され、
２つの前記ハウジングが互いに係合された時に、前記炉体の頂部において、閉じたベーク空間を取り囲むように形成可能である。
【考案の効果】
【００１４】
炉体に基づき、吸気通路と排気通路とを結びつけることにより、炉がテントなどの遮蔽空間内に使用される時に、遮蔽空間内の酸素を消費せずに、外部から空気を導入して燃焼後に生じた煙などを外部に排出できるとともに、煙などが遮蔽空間内に漏洩する問題を回避することで、ユーザが遮蔽空間内に炉を安全に使用することができる。
【００１５】
吸気口に基づき、炉体内に２つのガス補充領域を設置することにより、炉体内部の燃料の全燃焼過程において、通気による助燃が３回に行われ、燃料の不十分な燃焼による有害ガスの発生を効果的に回避する。
【図面の簡単な説明】
【００１６】
【図１】図１は、本考案の実施例に係る炉が遮蔽空間内にある構造模式図である。
【００１７】
【図２】図２は、本考案の実施例に係る炉の構造模式図である。
【００１８】
【図３】図３は、本考案の実施例に係る炉の正面図である。
【００１９】
【図４】図４は、本考案の実施例に係る炉の部分断面図である。
【００２０】
【図５】図５は、本考案の実施例に係る炉の一部構造を一方向から見た分解図である。
【００２１】
【図６】図６は、本考案の実施例に係る炉の一部構造を他方向から見た分解図である。
【００２２】
【図７】図７は、本考案の実施例に係る炉が収納された時の一方向から見た構造模式図である。
【００２３】
【図８】図８は、本考案の実施例に係る炉が収納された時の他方向から見た構造模式図である。
【００２４】
【図９】図９は、本考案の実施例に係る炉が収納された時の端面模式図である。
【００２５】
【図１０】図１０は、本考案の実施例に係る炉における吸気調節装置、ガス補充調節装置及び灰分トレーが完全に開放された時の断面図である。
【００２６】
【図１１】図１１は、本考案の実施例に係る炉における吸気調節装置、ガス補充調節装置及び灰分トレーが一部開放された時の断面図である。
【００２７】
【図１２】図１２は、本考案の実施例に係る炉における吸気調節装置、ガス補充調節装置及び灰分トレーが完全に閉鎖された時の断面図である。
【００２８】
【図１３】図１３は、本考案の実施例に係る炉における筒部（ｃｙｌｉｎｄｒｉｃａｌ  ｓｈｅｌｌ  ｓｅｃｔｉｏｎ）とフレームアレスタの分解図である。
【００２９】
【図１４】図１４は、本考案の実施例に係る炉における筒部とフレームアレスタが嵌装された時の構造模式図である。
【符号の説明】
【００３０】
１、炉体、１１、ガスガイド板、１２、吸気調節装置、１２１、バッフル、１２２、調節レバー、１３、ガス補充調節装置、１３１、調節板、１３２、ドローバー、１４、炉蓋、１５、焼き網、１６、支持脚、１７、燃料焼網、１８、炉扉、１８１、扉ハンドル、１８１１、フォーク片、１８１２、把持部、
２、吸気通路、
３、排気通路、３１、筒体、３１１、筒部、３２、煙筒保護装置、３３、シリカゲル保護装置、３４、フレームアレスタ、３５、流量調節装置、
４、第１のガス補充通路、４１、灰分ボックス、４１１、灰分トレー、４２、第１のガス補充管、
５、第２のガス補充通路、５１、第２のガス補充管、５１１、通気孔、
６、ハウジング、６１、ハンドル。
【考案を実施するための形態】
【００３１】
以下、本考案の実施例について詳細に説明し、実施例における例を図面に示し、全明細書において、同一又は類似の符号は、同一又は類似の部品、もしくは同一又は類似の機能を有する部品を示す。図面を参照して以下に記載される実施例は、例示的なものとして本考案を説明するために使用されるものであり、本考案を限定するものとして解釈されるべきではない。
【００３２】
本考案の説明において、「繋がる」、「連結」、「固定」という用語は、別途明確に規定・限定されない限り、広義に理解されるべきである。例えば、固定連結であってもよく、取り外し可能な連結であってもよく、機械的連結であってもよく、電気的接続であってもよく、直接繋がってもよく、中間媒体を介して間接的に繋がってもよく、２つの部品の内部の連通又は２つの部品の相互作用の関係であってもよい。当業者であれば、本考案における上記用語の具体的な意味は、具体的な状況に応じて理解できる。
【００３３】
本考案の説明において、別途明確に規定・限定されない限り、第１の特徴が第２の特徴の「上」又は「下」にあることは、第１の特徴と第２の特徴との直接接触を含んでもよく、第１の特徴と第２の特徴とが直接接触せず、それらの間に他の特徴を介して接触することを含んでもよい。さらに、第１の特徴が第２の特徴の「上」、「上方」及び「上面」にあることは、第１の特徴が第２の特徴の真上及び斜め上にあることを含むか、或いは単に第１の特徴の水平高さが第２の特徴よりも高いことを示す。第１の特徴が第２の特徴の「下」、「下方」及び「下面」にあることは、第１の特徴が第２の特徴の真下及び斜め下にあることを含むか、或いは単に第１の特徴の水平高さが第２の特徴よりも低いことを示す。
【００３４】
以下、図面を参照しながら具体的実施形態によって本考案の技術案をさらに説明する。
【００３５】
図１〜図１４に示すように、本考案は、炉体１と、吸気通路２と、排気通路３とを含む炉を提供する。炉体１は、遮蔽空間内に使用される時に、吸気通路２の吸気端が遮蔽空間の外部に連通され、連結端が炉体１の吸気口に連通され、遮蔽空間の外部から炉体１内に空気を導入可能であり、排気通路３の連結端が炉体１の排気口に連通され、排気端が遮蔽空間の外部に連通され、炉体１内の排気ガスを遮蔽空間から排出可能である。
【００３６】
本考案において、炉体１に基づき、吸気通路２と排気通路３とを結びつけることにより、炉がテントなどの遮蔽空間内に使用される時に、遮蔽空間内の酸素を消費せずに、外部から空気を導入して燃焼後に生じた煙などを外部に排出できるとともに、煙などが遮蔽空間内に漏洩する問題を回避することで、ユーザが遮蔽空間内に炉を安全に使用することができる。
【００３７】
好ましくは、炉体１内に１つ又は複数のガス補充領域が設置され、ガス補充領域は、吸気通路２の連結端と連通し、炉体１が使用される時に、吸気口から炉体１に吸入された空気は、ガス補充領域を通過した後、排気口から排出される。上記ガス補充領域の設置によれば、大部分の空気は、炉体１の吸気口から炉体１の内部に吸入されて助燃することに加えて、炉体１の内部に空気の一回又は複数回の補充を行うことで、炉体１内の燃料の燃焼を更に十分にすることができる。
【００３８】
具体的には、本実施例において、ガス補充領域は２つ設置され、それぞれ第１のガス補充領域及び第２のガス補充領域であり、吸気口から炉体１に吸入された空気は、第１のガス補充領域及び第２のガス補充領域を順に通過した後、排気口から排出される。上記設置によれば、大部分の空気は、炉体１の吸気口から炉体１の内部に吸入されて助燃した後、炉体１の内部の空気の流路において、まず第１のガス補充領域に空気を補充してから、第２のガス補充領域に空気を補充し、この２回の空気の補充により、燃料の燃焼を更に十分にし、不十分な燃焼時の一酸化炭素などの有毒カズの発生を回避する。
【００３９】
より具体的には、図２、図３及び図４に示すように、炉扉１８は、炉体１の前側に設置され、吸気口は、炉体１の後側に設置され、排気口は、吸気口に近接するように炉体１の頂部に設置されている。炉体１内にガスガイド板１１が設置され、ガスガイド板１１は、吸気口と排気口との間に位置し、吸気口と第１のガス補充領域とは、ガスガイド板１１の一側に位置し、排気口と第２のガス補充領域とは、ガスガイド板１１の他側に位置し、第１のガス補充領域は、ガスガイド板１１の下部の前側に位置し、第２のガス補充領域は、ガスガイド板１１の上部の後側に位置する。ガスガイド作用に加えて、ガスガイド板１１は、煙の遮断作用を同時に有し、煙の排気通路３からの還流を回避する。
【００４０】
上記設置によれば、炉体１の内部の空間を上部分・下部分という２つの部分に分割し、且つ上半部が下半部よりも小さい。２つの部分が炉体１の前側で互いに連通することにより、炉体１の後側における下半部の吸気口により吸入された空気は、炉体１内に後側の燃料と一緒に燃焼し、この時の燃焼が不十分になり、一酸化炭素と黒煙が大量に生じる。その後、炉体１の前側に水平に流れて１回目の空気補充を行い、ここで２回目の燃焼を行うことで、１回目の燃焼で生じた一酸化炭素などをさらに消費し、第１のガス補充領域に空気を補充してから、炉体１の上半部に上向きに流れる。その後、炉体１の前側から後側に流れ、炉体１の後側の上半部に２回目の空気補充を行うことで、一酸化炭素などを再度消費し、第２のガス補充領域に空気を補充してから、炉体１の後側における頂部の排気口によって排気通路３に吸入されることにより、空気が炉体１の内部に後方から前方に往復循環を一回行う。
【００４１】
好ましくは、図２及び図３に示すように、炉体１上に吸気調節装置１２が設置され、吸気調節装置１２は、吸気口の開度を調節可能である。上記設置によれば、ユーザは、吸気調節装置１２を制御することで、吸気通路２の吸気流量を制御することができる。
【００４２】
具体的には、図５及び図６に示すように、吸気調節装置１２は、バッフル１２１と調節レバー１２２とを含む。バッフル１２１は、回転軸によって吸気通路２の連結端の内部に回転設置され、調節レバー１２２は、炉体１の前側から炉体１の後側に延在し、炉体１に摺動連結され、一端に操作ハンドルが連結され、他端が伝動アセンブリによって回転軸に連結され、調節レバー１２２が摺動する時に、バッフル１２１を回転させるように駆動することで、吸気口の開度を調節可能である。
【００４３】
より具体的には、伝動アセンブリは、２つの伝動片を含み、１つの伝動片の一端は、調節レバー１２２に回転連結され、他端は、他の伝動片の一端に回転連結され、他の伝動片の他端は、回転軸に回転連結されている。ユーザは、炉体１の前側に操作ハンドルを手で握って調節レバー１２２を引き出し、調節レバー１２２が炉体１の前後方向に沿って摺動し、２つの伝動片によって回転軸を回転させるように駆動し、回転軸が回転する時にバッフル１２１と吸気通路２の軸線との間の角度を変更するように駆動させることにより、吸気口の開度を調節する。バッフル１２１と吸気通路２の軸線との間の角度が９０度になると、吸気口が全閉になり、バッフル１２１と吸気通路２の軸線との間の角度が０度になると、吸気口が全開になる。
【００４４】
より具体的には、図１２に示すように、バッフル１２１のエッジにシリカゲルシールリングが設置され、バッフル１２１と吸気通路２の軸線との間の角度が９０度になると、シリカゲルシールリングは、吸気通路２の内壁に当接され、吸気口が全閉になる。
【００４５】
本実施例において、図１２に示すように、第１のガス補充領域は、吸気通路２内にバッフル１２１の炉体１から離れる一側に連通され、第２のガス補充領域は、吸気通路２内にバッフル１２１の炉体１に向かう一側に連通されることにより、バッフル１２１が吸気口を閉じると、第２のガス補充領域で空気の補充を行うことができない。
【００４６】
好ましくは、図５及び図６に示すように、第１のガス補充領域は、第１のガス補充通路４を介して吸気通路２の連結端と連通し、炉体１内にガス補充調節装置１３が設置され、ガス補充調節装置１３は、第１のガス補充通路４と炉体１との間の連通口の開度を調節可能である。上記設置によれば、第１のガス補充領域でガスを補充するか否か、又は補充強度をユーザのニーズに応じて調節可能になる。
【００４７】
具体的には、図５及び図６に示すように、ガス補充調節装置１３は、互いに連結した調節板１３１とドローバー１３２とを含み、調節板１３１は、第１のガス補充通路４と炉体１との間の連通口を完全に被覆可能であり、ドローバー１３２は、炉体１の前側から延出し、且つ延出した部分が折曲してＬ状構造をなし、ユーザの引き動かしを容易にする。
【００４８】
より具体的には、図５及び図６に示すように、第１のガス補充通路４は、互いに連通した灰分ボックス４１と第１のガス補充管４２とを含み、灰分ボックス４１は、炉体１の底部に設置され、炉体１の底部の開口によって第１のガス補充領域に連通され、第１のガス補充管４２の一端は、吸気通路２の連結端に連通され、他端は、灰分ボックス４１の一側に連通され、灰分ボックス４１の底部に灰分トレー４１１が設置され、灰分トレー４１１は、灰分ボックス４１底部の開口を開閉可能である。上記設置によれば、炉体１内の灰分は、まず灰分ボックス４１内に導入され、その後、灰分トレー４１１を調節して排出される。
【００４９】
具体的には、灰分トレー４１１は、灰分ボックス４１上に回転設置され、その一側にバックルが設置され、灰分ボックス４１上にバックルと係合するロックボルトが設置され、バックルがロックボルトに係合されると、ロックボルトを調節して灰分トレー４１１を固定させることで、灰分ボックス４１の底部の開口を閉鎖可能であり、灰分を排出する必要がある時に、ロックボルトを緩めて灰分トレー４１１を回転させ、灰分ボックス４１の底部の開口を開放することで、灰分を排出する。
【００５０】
好ましくは、第２のガス補充領域は、第２のガス補充通路５を介して吸気通路２の連結端と連通し、第２のガス補充通路５は、複数の第２のガス補充管５１を含み、第２のガス補充管５１の一端は、吸気通路２の連結端に連通され、他端は、炉体１内に延出し、第２のガス補充管５１の炉体１内に延出した部分の側壁上に通気孔５１１が開設されている。
【００５１】
本実施例において、第２のガス補充管５１は２つ設置され（具体的な数は、２つに限定されず、炉体の仕様及び具体的な使用場面に応じて設置可能である）、各ガス補充管上に複数の通気孔５１１が開設されることにより、第２のガス補充領域のガス補充を更に均一にする。
【００５２】
具体的には、図５に示すように、第２のガス補充領域のガス補充量を制御するために、第２のガス補充管５１の管径は、第１のガス補充管４２の管径よりも小さい。
【００５３】
好ましくは、本考案に係る炉は、２つのハウジング６を更に含み、２つのハウジング６は、それぞれ炉体１に回転連結され、且つ炉体１の頂部に対称に設置されている。２つのハウジング６が係合された時に、炉体１の頂部において、閉じたベーク空間を取り囲むように形成可能であり、ベーク空間内にピザなどの食物をベークすることができるため、炉の使用範囲が大きくなる。２つのハウジング６は、対称に展開した後に、開口が上向きになり、物品を配置するために使用可能であるため、ハウジング６がより実用的である。
【００５４】
具体的には、図７、図８及び図９に示すように、ハウジング６の炉体１から離れる一端にハンドル６１が設置され、２つのハウジング６が係合された時に、２つのハンドル６１が互いに近接し、ユーザは、２つのハンドル６１を片手で握って炉を引上げることができる。
【００５５】
より具体的には、１つのハウジング６上に温度計が設置されることにより、ベークする時に、ベーク空間内の温度をリアルタイムにモニタすることができる。
【００５６】
好ましくは、炉体１の前側に水平の長孔が開設され、長孔内に炉蓋１４が挿着され、炉蓋１４を引き出すことで、炉体１の天面における火口の開度を調節可能である。
【００５７】
具体的には、炉蓋１４が火口を閉鎖すると、依然として一部が炉体１の外部に位置し、この部分上にリブが設置されている。この時、リブが炉体１の前側壁に当接されることで、炉蓋１４全体が炉体１内に滑り込むことを回避し、且つ炉蓋１４の炉体１から離れる一側の端面にグリップが設置され、ユーザの引き出し操作を容易にする。
【００５８】
より具体的には、炉体１の火口上に焼き網１５が付設され、炉蓋１４を引き出して火口を開く時に、焼き網１５を火口上に被覆可能であるため、本考案の炉がバーベキューに使用可能である。
【００５９】
好ましくは、炉体１の底面に４つの支持脚１６が回転設置され、２つの支持脚１６が炉体１の前側に近接して対称に設置され、他の２つの支持脚１６が炉体１の後側に近接して対称に設置されている。４つの支持脚１６が展開される時に、炉体１を支持可能であり、４つの支持脚１６が係合される時に、いずれも炉体１の底面に貼着される。
【００６０】
具体的には、図９に示すように、炉体１の底面は、円弧面であり、支持脚１６は、円弧形ロッドであり、炉体１の底面に適合されることにより、支持脚１６が係合される時に、炉体１とより貼着され、炉が格納された時の体積がより小さくなる。
【００６１】
好ましくは、炉体１内にネット状の燃料焼網１７が架装され、当該燃料焼網１７が架装された時に水平面と平行であり、その上に燃料を積み重ねることができる。
【００６２】
好ましくは、図１に示すように、排気通路３は、筒体３１と筒体３１の外側に嵌設された煙筒保護装置３２とを含み、筒体３１の底端は、炉体１の排気口と連通し、筒体３１の先端は、遮蔽空間から延出して外部と連通し、煙筒保護装置３２と筒体３１との間に間隔をおいて放熱チャンバが形成され、煙筒保護装置３２の先端と筒体３１との間は、密封連結されている。
【００６３】
取り付ける時に、筒体３１を他の部材から隔離させ、筒体３１の温度が高すぎることに起因して他の部材を焼損するか、又は火災の発生を防止するように、煙筒保護装置３２は、筒体３１が穿設された部材、例えば、屋根、屋の側壁、テントの頂部などに取り付けることができる。放熱チャンバは、効果的に断熱するのに寄与し、且つ放熱可能である。煙筒保護装置３２の先端と筒体３１とは、密閉連結されているため、雨水又は他の異物の侵入を防止する。ここで、煙筒保護装置３２は、引火性が低く、放熱が速い材料、例えば、セラミックから製造されてもよい。さらに、防塵防水のために、煙筒保護装置３２の先端を傾斜表面として設置することで、雨水と異物は、傾斜表面に沿って滑り落ちやすくなる。
【００６４】
具体的には、煙筒保護装置３２は、その外側に嵌設されたシリカゲル保護装置３３を介してテントなどの遮蔽空間の熱に弱い外壁材料と繋がり、シリカゲル保護装置３３上にボルトなどのクランプ具が設置され、クランプ具とシリカゲル保護装置３３との間は、テントのテント布をクランプして固定させることができる。上記シリカゲル保護装置３３は、シリカゲルから製造したカラーであり、本分野の一般的な設置であるため、ここでは説明しない。
【００６５】
より具体的には、煙筒保護装置３２の周方向の外壁上に複数の通気孔が開設され、通気孔は、放熱チャンバと連通している。通気孔は、空気の流通に寄与し、複数の通気孔間に対流を形成可能であるため、放熱を容易にする。ここで、通気孔の設置位置や設置数に限定されない。
【００６６】
本実施例において、煙筒保護装置３２の先端は、筒体３１に連結され、煙筒保護装置３２の底端に放熱チャンバと連通した開口が設置されている。通気孔は、開口から離れる外壁上にまとめて設置され、通気孔と開口との間に対流が形成される。取り付ける時に、通気孔が設置された一端を室外に延出し、開口が設置された一端を室内に位置することができる。通気孔から進入した風が放熱チャンバを通過している間に筒体３１を降温させる。
【００６７】
具体的には、煙筒保護装置３２は、筒体３１と半田付けられてもよく、ネジで連結されてもよく、係合されてもよいため、ここで限定されない。
【００６８】
より具体的には、図１３に示すように、筒体３１は、取り外し可能な複数部分の筒部３１１として設置され、煙筒保護装置３２は、そのうちの一部の筒部３１１と一体に半田付けられることで、煙筒保護装置３２の堅牢性を保証し、且つ取付工程を減らす。
【００６９】
具体的には、筒部３１１の一端に拡大口が設置され、隣接する筒部３１１間が互いに係合されている。筒部３１１の拡大口から離れる一端に案内するための面取りが設置されている。取り付ける時に、筒部３１１の面取りが有する一端を他の筒部３１１の拡大口内に挿入し、拡大口の内径が筒部３１１の外径に等しいか、又はそれよりもわずかに大いため、２つの筒部３１１が強固に挿着されている。
【００７０】
より具体的には、図１４に示すように、各筒部３１１の本体部の外径及び拡大口の外径は、下から上にかけてますます小さくなるため、複数の筒部３１１の拡大口端は、同一側に位置する時に外方から内方に嵌着可能である。
【００７１】
より具体的には、筒部３１１の拡大口が設置された一端に中空の突起部が設置され、突起部の設置により、筒体３１の外壁が一定の弾性を有し、２つの筒部３１１の連結をより強固にする。
【００７２】
本実施例において、筒体３１の先端にフレームアレスタ３４が設置されている。フレームアレスタ３４は、周方向に設置された鋼線網と、鋼線網の先端に設置されたエンドキャップとを含む。炉体１に燃焼後の煙が鋼線網のメッシュから吹き出し可能であるが、燃焼している火花が鋼線網に接すると消火するため、テント又は周辺の葉などの可燃物を点火せず、炉の使用安全性を向上させる。エンドキャップの設置によれば、雨水又は異物が先端から筒体３１内への侵入を防止する。
【００７３】
具体的には、フレームアレスタ３４は、鋼線網の下端に位置する支持体を更に含み、支持体は、筒体３１と連結し、その連結方法は、ネジ連結であってもよく、もしくは上記２つの筒部３１１間の挿着であってもよいため、ここで限定されない。支持体の外壁に複数の吊り輪が周方向に設置されている。ピクニックの場合、固定用ロープの一端を吊り輪と連結し、他端をテント用ペグに連結するか、もしくは固定用ロープを吊り輪に通過して、固定用ロープの両端をテント用ペグに連結することができる。煙筒を鉛直状態に保持させるように固定することができ、煙を円滑に排出し、且つ風により吹き飛ばされることを防止することができる。
【００７４】
より具体的には、筒体３１上には、その内のガスの流通面積を調節するための流量調節装置３５が設置されている。人工での調節を容易にするために、流量調節装置３５が筒体３１の下部での炉体１に近接する位置に設置されている。流量調節装置３５は、筒体３１内に回転設置された封口板と、筒体３１の外部に位置する調節グリップとを含み、調節グリップは、封口板に取り外し可能に連結されている。封口板の大きさは、筒体３１の内径に適合され、調節グリップを回転させて、封口板を回転させるように駆動することにより、封口板の開き程度を調節し、煙の流通面積を制御することで、火炎の大きさ、燃焼の速度を調節することができる。
【００７５】
本実施例において、調節グリップは、ロッド本体と、ロッド本体の一端に位置する把持部１８１２とを含み、ロッド本体は、封口板と連結し、調節グリップのロッド本体上にクランプバネが嵌設され、クランプバネは、把持部１８１２と筒体３１との間に介在されている。クランプバネの当接作用により、把持部１８１２を回転させて封口板をある位置へ連動する時に、クランプバネの力の作用でこの位置に固定することができる。もちろん、他の方法によって調節グリップをロックすることができ、例えば、把持部１８１２を回転させて封口板をある位置へ連動する時に、ネジ又はピンによって調節グリップ及び筒体３１を固定させる。
【００７６】
具体的には、筒体３１上に取付孔が設置され、取付孔にスペーサピラーが設置され、調節グリップのロッド本体がスペーサピラーを貫通し、クランプバネは、スペーサピラー内に位置する。調節グリップのロッド本体と封口板とは、ロックピンにより連結されている。
【００７７】
本実施例において、煙筒、流量調節装置３５及びフレームアレスタ３４は、いずれも取り外し可能で、炉体１の内チャンバに配置することができ、携帯しやすい。
【００７８】
好ましくは、炉体１の前側の炉口に炉扉１８が取り外し可能に設置され、炉扉１８の一端は、スクリューとナットとの嵌合によって炉体１に回転連結され、炉扉１８の他端は、扉ハンドル１８１によって炉体１に係止される。炉扉１８は、取り外し可能に設置され、故障時の交換が容易であり、炉扉１８の損害による炉全体が使用できないことを防止する。
【００７９】
具体的には、炉扉１８の一端に第１の取付孔が設置され、炉体１上に第２の取付孔が第１の取付孔と対応して設置され、スクリューは、第１の取付孔と第２の取付孔とを貫通し、スクリューの一端は、ヘッド部を介して位置制限され、スクリューの他端は、ナットと連結されている。スクリューとナットとを連結する時に、炉扉１８が一定の回転空間を有するように完全にロックされていない。
【００８０】
より具体的には、第１の取付孔と第２の取付孔とは、それぞれ２つ設置され、２つの第２の取付孔は、２つの第１の取付孔間に位置する。
【００８１】
好ましくは、扉ハンドル１８１は、フォーク片１８１１とフォーク片１８１１の一端に設置された把持部１８１２とを含み、フォーク片１８１１の一端は、炉扉１８に回転連結され、炉体１上にフォーク片１８１１と対応する係合溝が設置され、炉扉１８を閉じる時に、フォーク片１８１１を係合溝に係合可能であるため、炉扉１８のロックを実現する。
【００８２】
具体的には、炉扉１８上にガラス窓が取り外し可能に設置され、ガラス窓の設置によれば、炉体１の内部状況を容易に観察する。ガラス窓が損傷する時に、適時に交換することは簡単である。炉扉１８上にフレームが設置され、フレームの一端に開口が設置され、ガラス窓の取付を容易にし、ガラス窓は、フレームと炉扉１８との間に位置する。フレーム内に開口から離れる一端に弾性片が設置され、ガラス窓を取り付けた後、ガラス窓の一側にストッパ片が設置され、弾性片とストッパ片とを結びつけてガラス窓を保護する。ストッパ片のガラス窓から離れる一側に位置制限ネジが設置され、位置制限ネジが炉扉１８に繋がり、且つストッパ片と当接され、ストッパ片の位置を制限し、ガラス窓の離脱を防止する。
【００８３】
勿論、本考案の上記実施例は、本考案を明確に説明するために例示的なものにすぎず、本考案の実施形態を限定するものではない。当業者であれば、上記の説明に基づいて他の異なる形態の変形または修正を行うことができる。すべての実施形態を列挙する必要も方法もない。本考案の精神及び原則内で行われるあらゆる修正、等価の置換及び改良などは、本考案の請求の範囲内に含まれるべきである。
【図１】
0003222444.tif 000003
【図２】
0003222444.tif 000004
【図３】
0003222444.tif 000005
【図４】
0003222444.tif 000006
【図５】
0003222444.tif 000007
【図６】
0003222444.tif 000008
【図７】
0003222444.tif 000009
【図８】
0003222444.tif 000010
【図９】
0003222444.tif 000011
【図１０】
0003222444.tif 000012
【図１１】
0003222444.tif 000013
【図１２】
0003222444.tif 000014
【図１３】
0003222444.tif 000015
【図１４】
0003222444.tif 000016